(57)【要約】      （修正有）【課題】送風型暖房機の温風を所定の空間へ引き込むためのフレキホース等支持用のホーススタンドであって、ファンヒーター吹き出し付近の高さ位置調節可能にホースに簡単に取り付けできるホーススタンドを提供する。【解決手段】中間にホースを挿通支持する挿通開口１４を形成し先端を半径方向対向する２本の湾曲腕１２を一方の軸方向に備えると共に、凹部により形成された２本の支持脚１３を他方の軸方向に備えた湾曲支持板１１からなるホーススタンド１０であって、各湾曲腕先端部の突起と孔の係脱により、ホース外周、任意の軸方向位置に装着可能としたホーススタンド。【選択図】図１
0003157482.tif 000002
【実用新案登録請求の範囲】
【請求項１】
側縁から一方の軸方向に延長し中間にホースを挿通支持する挿通開口１４を形成し先端を半径方向対向する２本の湾曲腕を備えると共に、側縁から他方の軸方向に延長し中間の凹部により形成された2本の支持脚１３を備え、全体としてその横断方向で湾曲する湾曲支持板からなるホーススタンドであって、前記湾曲腕１２の各先端部に突起１２a又は孔１２ｂが設けられ、ホーススタンドの湾曲腕の突起と孔の相互の係脱により、ホース外周を包囲してその軸方向の任意の位置にホーススタンドを装着可能としたことを特徴とするホーススタンド。
【請求項２】
側縁から一方の軸方向に延長し中間にホースを挿通支持する挿通開口１４を形成し先端を半径方向対向する２本の湾曲腕を備えると共に、側縁から他方の軸方向に延長し中間の凹部により形成された2本の支持脚１３を備え、全体としてその横断方向で湾曲する湾曲支持板からなるホーススタンドであって、前記湾曲腕１２の各先端部に突起１２a又は孔１２ｂが設けられ、ホーススタンドの湾曲腕の突起と孔の相互の係脱により、ホース外周を包囲してその軸方向の任意の位置にホーススタンドを装着可能としたホーススタンドと、前記ホーススタンドの挿通開口に挿通支持するホースとの組合せになり、前記ホースが可撓性で曲げ形状保持可能なフレキホースであるものとしたフレキホーススタンド装置。
【考案の詳細な説明】
【技術分野】
【０００１】
この考案はホース用スタンドに関し、より詳細には、ガスストーブや石油ストーブなど送風型暖房機の温風を屈曲、伸縮自在のフレキホースを使ってこたつや風呂場や隣室等へ引きみ、その内部の温度を上昇させ、電力の節約を目的として考案した屈曲、伸縮自在のフレキホース等に適用して使用され、そのフレキホース等の外面に沿って装着自在としたホーススタンドに関する。
【背景技術】
【０００２】
本出願人は、これまで、ガスストーブや石油ストーブなど送風型暖房機の温風を屈曲、伸縮自在のフレキホースを使ってこたつや風呂場や隣室等へ引きみ、その内部の温度を上昇させ、電力の節約をねらって、その屈曲、伸縮自在のフレキホースを考案し出願を行った。これにより省エネ効果を得ることができた。
先行のフレキホースは、これを単に床面に設置し、送風型暖房機に向けて配置するだけであった。しかしこの配置では、送風型暖房機からの高温の温風吹き出しが上下位置の調整も必要な場合には、その位置が上下に外れた位置になったときには、送風が効果的に遂行できないおそれがあった。
これを改善するために、吹き出し位置に対する適正なフレキホースの位置調整のために、スペーサーをフレキホースの下に咬ませて設置するなど簡単な方法があるのみであった。しかし、この場合は、調整作業が簡単であるとしても、スペーサー自体に外力が加えられた場合、その外力で簡単に外れてしまい、このため頻繁に調整しなければならず、このため却って、使用上の煩わしさがあり、調整された位置を確実に持続することが難しかった。
また、先行技術として、クランプ式筒状保持体とダクトと、断面形状に合わせた足部及び立ち上げ脚部を備え、脚部先端と筒状保持体とを突起・装着穴の係合により組み立て可能としたダクト支持具が存在する。先行のダクト支持具は、温風吹き出し口の方向ないし位置を変更できるものである。しかし、保持体の付け位置を変更する場合には、クランプのビスを緩め所定の変更位置でビス締めするなどの作業が必要となるものであった。また、筒状保持体とダクト支持具は、複数の異なる材料から作成され、製品として組立て作業が必須となるものであった。
【０００３】
【特許文献１】実用新案登録第３０９１１４６号公報
【特許文献２】実用新案登録第３０７５５６２号公報
【考案の開示】
【考案が解決しようとする課題】
【０００４】
本考案は、上記した課題を解決するために考案したものであって、先のダクト支持具について、フレキホース等のホーススタンドとしてこれを単一の部材から作製することができ、ダクトとの位置を調節変更する場合には、孔・突起の係脱作業のみで簡単に行うことができ、収納に際してはダクト面に沿わせて省スペース化した収納を可能としたフレキホーススタンドに係る考案である。
本考案によれば、湾曲状の一枚の板からなるホーススタンドによって、ホースと組合せて使用する場合、軸方向の所望の位置に調節して装着すれば、吹出し口の高さ位置に適合するように高さに調節してセット保持することができ、外力が加わっても簡単に外れることがなく、所望の設置位置を確実に保持できて、製作、装着簡単なホーススタンドを提供することができる。
また、本考案のホーススタンドは、これを屈曲・伸縮自在なフレキホースと組合せて使用することにより、フレキホーススタンドに装着したフレキホースを任意に屈曲・伸縮させ、送風型暖房機からの高温の温風吹き出し口に位置合わせしてセットすることができ、効果的な送風位置合わせが簡単にできるフレキホーススタンドとしても提供する。
さらに、本考案のホーススタンドは、その材料から合成樹脂製スタンドとした場合には、熱風による変形を防止できる位置に簡単に装着することのできるホーススタンドとしても提供することができる。
さらに、本考案は、ホーススタンドは湾曲状をなし、フレキ等のホースの外面に倣って湾曲しており、直接重ね合わせて載置することができるので、梱包時の重ね収納による省スペース化を図ることのできるホーススタンドを提供する。
【課題を解決するための手段】
【０００５】
本考案は、側縁から一方の軸方向に延長し中間にホースを挿通支持する挿通開口１４を形成し先端を半径方向対向する２本の湾曲腕を備えると共に、側縁から他方の軸方向に延長し中間の凹部により形成された2本の支持脚１３を備え、全体としてその横断方向で湾曲する湾曲支持板からなるホーススタンドであって、前記湾曲腕１２の各先端部に突起１２a又は孔１２ｂが設けられ、ホーススタンドの湾曲腕の突起と孔の相互の係脱により、ホース外周を包囲してその軸方向の任意の位置にホーススタンドを装着可能としたことを特徴とするホーススタンドを提供する。
また、本考案は、側縁から一方の軸方向に延長し中間にホースを挿通支持する挿通開口１４を形成し先端を半径方向対向する２本の湾曲腕を備えると共に、側縁から他方の軸方向に延長し中間の凹部により形成された2本の支持脚１３を備え、全体としてその横断方向で湾曲する湾曲支持板からなるホーススタンドであって、前記湾曲腕１２の各先端部に突起１２a又は孔１２ｂが設けられ、ホーススタンドの湾曲腕の突起と孔の相互の係脱により、ホース外周を包囲してその軸方向の任意の位置にホーススタンドを装着可能としたホーススタンドと、前記ホーススタンドの挿通開口に挿通支持するホースとの組合せになり、前記ホースが可撓性で曲げ形状保持可能なフレキホースであるものとしたフレキホーススタンド装置としても提供する。
【考案の効果】
【０００６】
本考案のホーススタンドは、上述のように構成したので、構造が単純であり、板状の金属板又は合成樹脂板を素材にして複雑な加工処理を施すことなく簡単に製造することができ、使用に際してはスタンドの湾曲腕部の簡単な凹凸脱作業によりホース外周に容易に装着することができる。ホースに対する装着位置を軸方向に調節することで、多少の高さ調整が可能である。
また、ホース口の高さ位置調整をより簡単に確実に行うためには、可撓性のフレキホースが推奨される。上記ホースを可撓性のフレキホースとした場合には、フレキホースにホーススタンドを装着した後、フレキホースに適宜曲げ作業を施すことにより、送風型暖房機からの高温の温風を、効率的にフレキホースへと受け入れる位置へと変更することが可能となる。
ホーススタンドをホースに装着する位置は、送風型暖房機からの高温の温風を直接受けるのを避けて、フレキホースの取り入れ口から離れた位置とすることができるので、合成樹脂製の場合そのスタンドの熱変形を抑制し、耐久性を図ることができる。
ホーススタンドの装着に当っては、湾曲脚本体を握り締めると、２本の湾曲腕の湾曲度を増して、円錐状の案内面を形成するので、フレキホースに沿って容易に軸方向に移動させることができ、任意の位置で２本の湾曲腕の先端部の突起・孔を係合操作することによりフレキホースの外周に簡単に装着することができる。
スタンドは、フレキホースの外周面に合わせた形状を備えているので、梱包に際してすっきりと収めることができ、コンパクトな収納が簡単にできる。
【実施例】
【０００７】
本考案になるホーススタンド１０は、図１に示すように、全体的に湾曲する支持板１１からなり、その一方の軸方向に一対の腕が伸びその間に開口を形成し、他方の軸方向に一対の支持脚を備えている。
ホーススタンド１０の使用に当っては、図４の（ａ）、（ｂ）に示すように、好ましくはフレキホース２０のホースの外周に沿って適宜の軸方向位置に装着される。図４の（ｃ）に示すように、可撓性のない直管ホース又はダクト２０Ａであっても差し支えない。
前記ホーススタンド１０について、図２及び図３を用いて、フレキホース２０と組み合わせた場合を例として、さらに詳細に述べる。
ホーススタンド１０は、平板全体がホース２０の外面に沿って湾曲する支持板１１として形成され、合成樹脂により成形作製することができる。なおスタンド１０の作製に当っては、その材料は、形成された湾曲腕部分における孔・突起係合を担保できる材料であれば、合成樹脂に限らず他の材料、金属板、厚紙その他であっても差し支えない。この湾曲支持板１１は、その一方の軸方向に片持ち支持されて延長し且つ半径方向に湾曲し先端部が対向する２本の湾曲腕１２，１２を備え、中間に円形の挿通開口１４が形成される。さらに前記湾曲腕１２の先端部には突起１２ａ又は孔１２ｂが別個に設けられる。なお、２本の湾曲腕１２，１２の中間に形成された挿通開口１４は、これを通して好ましくはフレキホース２０等のホース又はダクトが挿通される。
上述した湾曲支持板１１は、他方の軸方向に中心を底とする三角状の凹部１５が形成され、この凹部１５により形成された支持脚１３，１３を有する。この支持脚１３は、軸方向に細くなるように延長して示されるが、この形状に限定するものではない。
一方、フレキホース２０は、図４（ａ）、（ｂ）に示すように、可撓性のホースで、入口側となる受口２１と出口側となる放出口２２とを備える。受口２１と放出口２２の端部には保護環が装着される。
フレキホース２０は、熱風の温度を考慮するなどした受口２１から所定の範囲の部分においてその任意の位置で強制的に屈曲すれば、その屈曲状態を保持することができる。
【０００８】
（装着方法）
ホーススタンド１０のフレキホース２０への装着について述べる。先ず、湾曲支持板１１を握り締めて、その挿通開口１４をフレキホース２０の受け口２１に当てる。湾曲支持板１１は湾曲度が増すことにより、２本の腕１２、１２に円錐状の案内面が簡単に形成される。そこで湾曲支持板１１の挿通開口１４に、フレキホース２０に沿って軸方向に押し込んで移動させることができる。このとき、この２本の腕１２、１２の案内面で案内されながら容易に挿通される。任意の装着位置に移動されたら、その位置で握り締め力を解除する。これにより２本の湾曲腕１２，１２は湾曲平面状に復元しフレキホース２０の任意の外周位置に配置される。次いで、２本の湾曲腕１２，１２の先端部の突起１２ａ、孔１２ｂを引き寄せてフレキホース２０の外周に沿って包囲した状態で係合させる。これによりホーススタンド１０をフレキホース２０の外周に簡単に装着することができる。
フレキホース２０がホーススタンド１０により装着されると、フレキホース２０は、その装着位置において、スタンド１０の支持脚１３，１３により床面から空間を有して支持される。
【０００９】
（ホース高さ調節）
本考案のホーススタンドにより挿通支持するホースの高さ調節は、ホース２０が屈曲・伸縮自在なフレキホースである場合には、ホーススタンドに装着したフレキホースの受口２１側を任意に屈曲・伸縮させ、送風型暖房機からの高温の温風吹き出し口に位置合わせしてセットすればよい。これにより、効果的な送風位置合わせが簡単にできる。
また、ホース２０が直管ホースである場合には、ホーススタンド１０を直管ホースの軸方向に移動させることによって、床面との傾斜角度αを調節し、送風型暖房機からの高温の温風吹き出し口に位置合わせることができる。この場合、高さの調整範囲は、フレキホースの場合に比較して狭いものとなる。
上記したように、湾曲支持板１１は、挿通開口１４を通じてフレキホース２０の任意の位置においてセットすることができる。湾曲支持板１１自体が耐熱性硬貨樹脂性の材料で製作される部材である場合には、ホーススタンド１０は、受口２１から離れた熱風の影響を緩和した位置へと適宜セットすることが可能となる。
【００１０】
（収納方法）
フレキホース２０とホーススタンド１０を片付ける場合、ホーススタンド１０は湾曲状の板部材であって、フレキホース２０の外面に倣って湾曲しているので、ホーススタンド１０をフレキホース２０の表面に簡単に重ねることができる。これにより、ホーススタンド１０重ねた状態で収納して梱包できるので省スペース化を図ることが可能である。
【図面の簡単な説明】
【００１１】
【図１】本考案に係るホースを受けるフレキホーススタンドの斜視図である。
【図２】フレキホーススタンドの不使用時の状態を示す概要図であり、（ａ）はフレキスタンド不使用時の平面図であり、（ｂ）は、上記図２(ａ）におけるＸ１−Ｘ１においてその矢視方向にみた断面図である。
【図３】フレキホーススタンドの使用時の係止状態を示す概要図であり、（ａ）はフレキスタンド使用時の平面図であり、（ｂ）は上記図３(ａ）におけるＸ２−Ｘ２においてその矢視方向にみたにおける断面図である。
【図４】本考案に係るフレキホースとホース受けスタンド使用形態を示す模式図であり、（ａ）はホーススタンドにフレキホースを挿通支持した状態を示し、（ｂ）は（ａ）においてそのフレキホースの受け口側を上方に変位させて位置調節し使用するときの支持状態を示す。また、（ｃ）は直管ホースをホーススタンドで支持した状態を模式的に示す。
【図５】はフレキホースと図１で示したホース受けスタンドを重ねて収納するときの状態を示す模式図である。
【符号の説明】
【００１２】
１０  ホーススタンド
１１  湾曲支持板
１２  湾曲腕部
１２ａ  突起
１２ｂ  孔
１３  支持脚
１４  挿通開口
１５  三角凹部
２０  フレキホース
２１  受口
２２  放出口
【図１】
0003157482.tif 000003
【図２】
0003157482.tif 000004
【図３】
0003157482.tif 000005
【図４】
0003157482.tif 000006
【図５】
0003157482.tif 000007